(57)【要約】【課題】防犯性及び意匠性を向上させることができるドア装置を提供する。【解決手段】建物の屋外から見た場合、ドア装置の扉２１ｂは、建物の壁面と同じ表面形態や配色を有する。扉パネル２２ｂには、吊元側から戸先側に向けて、所定長さだけ離れた位置に、回動機構部２５が固定されている。回動機構部２５は、建物のフレーム３１ａ、３１ｂ、３１ｃ、３１ｄ、３１ｅに囲まれた内部空間内に収められる。内部空間は、扉２１ｂの吊元端部が回動する第１領域ＳＰ１と、回動機構部２５が収納される第２領域ＳＰ２とからなる。扉２１ｂにおいて、回動機構部２５より壁面１０ｄ側の端部は、第１領域ＳＰ１内を、クッション材３１ｈに当接するまで回動する。【選択図】図５
2015068002.tif 000002
【特許請求の範囲】
【請求項１】
建物の開口部に設けられる枠部と、
前記枠部に、回動機構部を介して開閉可能に設けられた扉とを備え、
前記回動機構部は、前記扉の屋内側に設け、
前記扉の吊金側に、前記扉の端部を回動させる空間を設けたことを特徴とするドア装置。
【請求項２】
前記扉の閉鎖時に前記回動機構部の戸先側と前記枠部とが接触する領域に、シール材を設けたことを特徴とする請求項１に記載のドア装置。
【請求項３】
前記扉の閉鎖時に前記扉の上端部及び下端部と前記枠部とが接触する領域に、シール材を設けたことを特徴とする請求項１又は２に記載のドア装置。
【請求項４】
前記扉の召し合わせ部にシール材を設けたことを特徴とする請求項１〜３のいずれか一項に記載のドア装置。
【発明の詳細な説明】
【技術分野】
【０００１】
本発明は、建物の開口部に設置するドア装置に関する。
【背景技術】
【０００２】
例えば、店舗における商品搬入口や非常出口のように、建物によっては、出入口を、公道等の近くに設ける場合がある。このような開口部は、その性質上、建物の外観の意匠性だけではなく、防犯の観点からも注意が必要である。そこで、通常は開閉しない開口部の目隠し装置が検討されている（例えば、特許文献１参照）。この文献に記載された目隠し装置においては、建物開口部を外部の視線から隠蔽する。具体的には、目隠し装置は、建物開口部の前面に建物から所定距離離隔して立設される一対の柱と、一対の柱の間に着脱や開閉可能に取り付けられる面材とを備える。そして、一対の柱は、一対の柱の間に開口部の投影面の幅方向中心線を含む位置に配置される。
【０００３】
また、壁面に形成された凹所に、直接物を出し入れでき、隠し扉となる壁面扉構造も検討されている（例えば、特許文献２参照）。この文献に記載された壁面扉構造においては、壁面に形成された凹所の前面開口を開閉する扉が上下に昇降可能に設けられている。
【先行技術文献】
【特許文献】
【０００４】
【特許文献１】特開２００６−２２６０３４号公報
【特許文献２】特開２００５−１６２０２号公報
【発明の概要】
【発明が解決しようとする課題】
【０００５】
外開きの扉の場合、丁番やヒンジが外側に露出し、明らかに扉として認識されてしまう。特許文献１に記載された技術においては、扉を視線から隠蔽することができるが、目隠し装置の設置が必要であり、更に設置のための経済的負担も大きくなる。また、特許文献２に記載されている技術においては、扉を天井懐に収納する必要があり、このようなスペースがない場合には、設置が困難である。
【０００６】
本発明は、上述の課題に鑑みてなされ、その目的は、防犯性及び意匠性を向上させることができるドア装置を提供することにある。
【課題を解決するための手段】
【０００７】
（１）上記課題を解決するドア装置は、建物の開口部に設けられる枠部と、前記枠部に、回動機構部を介して開閉可能に設けられた扉とを備え、前記回動機構部は、前記扉の屋内側に設け、前記扉の吊金側に、前記扉の端部を回動させる空間を設けたことを特徴とする。これにより、建物の外側から回動機構が見えないため、意匠性を向上させることができる。更に、回動機構が見えず、扉を認識しにくいため、防犯性の向上を図ることができる。
【０００８】
（２）上記ドア装置は、前記扉の閉鎖時に前記回動機構部の戸先側と前記枠部とが接触する領域に、シール材を設けることが好ましい。これにより、回動機構の近傍における気密性や水密性を向上させることができる。
【０００９】
（３）上記ドア装置は、前記扉の閉鎖時に前記扉の上端部及び下端部と前記枠部とが接触する領域に、シール材を設けることが好ましい。これにより、扉の上端部や下端部における気密性や水密性を向上させることができる。
【００１０】
（４）前記扉の召し合わせ部にシール材を設けることが好ましい。これにより、扉の召し合わせ部における気密性や水密性を向上させることができる。
【発明の効果】
【００１１】
本発明によれば、ドア装置の防犯性及び意匠性を向上させることができる。
【図面の簡単な説明】
【００１２】
【図１】本実施形態のドア装置の閉鎖時の斜視図。
【図２】本実施形態のドア装置の開放時の斜視図。
【図３】本実施形態のドア装置の内部構成を含めた正面図。
【図４】図３の扉のＡ−Ａ線概略断面図。
【図５】本実施形態の回動機構部の構成を示した詳細図。
【図６】本実施形態の扉を回動操作時の動きの説明図。
【図７】本実施形態のドア装置の説明図であって、（ａ）は図３の矢視Ｂにおける断面図、（ｂ）は扉の召し合わせ付近の拡大図。
【図８】図３の矢視Ｂにおける扉の開放時の説明図。
【発明を実施するための形態】
【００１３】
図１は、建物１０に設けられたドア装置２０の斜視図を示す。建物１０の壁面１０ａ、１０ｂ、１０ｃ、１０ｄに囲まれた領域に、両開きの開き戸であるドア装置２０の扉２１ａ、２１ｂが左右対称に設けられている。更に、建物１０の正面の路上には、共同溝蓋３０が設けられている。本実施形態では、扉２１ａ、２１ｂの外観は、正面視矩形状である。
【００１４】
図２に示すように、扉２１ａ、２１ｂを開放することにより、建物１０の開口部１１が外部に開放される。
図３は、ドア装置２０の内部構成を含めた正面図である。建物１０の屋外から見た場合、ドア装置２０は、壁面１０ａ〜１０ｄと同じ表面形態や配色を有しており、壁面と識別できない構成となっている。また、扉２１ｂの戸先側の下方端部には、屋外側に引手２７が形成されている。この引手２７は、扉２１ｂの一部の切り欠き（孔）によって構成されている。屋外から、扉２１ｂを開放する場合には、引手２７により引き開けることができる。
【００１５】
このドア装置２０の内部には、錠ケース２３ａが取り付けられている。ドア装置２０の閉鎖時には、錠ケース２３ａから戸先側にラッチボルトが突出し、扉２１ａに設けられた受座に挿入される。これにより、扉２１ａと扉２１ｂとが係止される。錠ケース２３ａには、屋内側にレバーハンドル２３ｂが設けられている。このレバーハンドル２３ｂを回動操作することにより、錠ケース２３ａにラッチボルトが収容され、扉２１ａと扉２１ｂとの係止が解除される。本実施形態では、レバーハンドル２３ｂの回動を電気的に制御する電気錠を用いる。この電気錠の配線は、扉内配管２３ｃ、２３ｄを介して、建物内配管１１ａに配線される。この配線を通じて、錠ケース２３ａは、管理装置（図示せず）から、ドア装置２０の開施錠を指示する信号を受信する。本実施形態では、錠ケース２３ａは、通電時は施錠、非常時（停電時）は開錠する。
【００１６】
また、扉２１ａ、２１ｂには、回動機構部２５が屋内側に設けられている。本実施形態では、扉２１ａ、２１ｂの回転軸側（吊元側）に、それぞれ縦に３個ずつ設けられている。この回動機構部２５の構成については後述する。
【００１７】
図４は、図３の扉２１ａのＡ−Ａ線概略断面図である。図４においては、左側が屋外、右側が屋内となっている。なお、扉２１ｂも、扉２１ａと同様の構成を備えている。扉２１ａは、化粧板２２ａ、扉パネル２２ｂから構成されている。この化粧板２２ａが、扉２１ａの外観形態をなすものであり、上述した建物１０の壁面１０ａ〜１０ｄにおいても同じ外観形態の化粧板が用いられる。本実施形態では、化粧板２２ａにはアルミパネルを用いる。また、扉パネル２２ｂは、フレーム材により、所定の厚みで固定された２枚の鋼製パネルからなる。化粧板２２ａと扉パネル２２ｂとは、２個のアングル材からなる複数の固定具２２ｃにより固定されている。
【００１８】
更に、共同溝蓋３０内には防水材３１が設けられている。防水材３１としては、アスファルト防水用シートを用いる。
建物１０の天井フレーム１６の扉側面には、ラバーガスケット１７ａが設けられている。このラバーガスケット１７ａは、扉２１ａを閉鎖した場合に、扉パネル２２ｂの屋内側上端部と当接することにより、回動規制時の緩衝材及び外部からのシール材として機能する。このラバーガスケット１７ａには、例えばＣＲ（クロロプレン）スポンジを用いることができる。
【００１９】
建物１０の床材１８ａ、１８ｂの扉側面にも、ラバーガスケット１７ｂが設けられている。このラバーガスケット１７ｂは、扉２１ａを閉鎖した場合に、扉パネル２２ｂの屋内側下端部と当接することにより、回動規制時の緩衝材及び外部からのシール材として機能する。このラバーガスケット１７ｂも、ラバーガスケット１７ａと同様に、例えばＣＲスポンジを用いることができる。
【００２０】
図５は、扉２１ｂの屋内側に取付けられた回動機構部２５の構成を示した詳細図である。本実施形態では、回動機構部２５は、ドア装置２０の枠部として、建物１０のフレーム３１ａ、３１ｂ、３１ｃ、３１ｄ、３１ｅに囲まれた内部空間内に収められる。各フレーム（３１ａ〜３１ｅ）は、鋼材により形成されている。更に、フレーム３１ｅの屋内側には、壁パネル３１ｆが接続されている。
【００２１】
フレーム３１ｅの屋外方向の先端部には、ラバーガスケット１９ａが設けられている。ラバーガスケット１９ａは、扉２１ｂを閉鎖した場合に、扉パネル２２ｂの屋内側面と当接することにより、回動規制時の緩衝材及び外部からのシール材として機能する。
【００２２】
この内部空間は、扉２１ｂの吊元端部（吊金側）が回動する第１領域ＳＰ１と、回動機構部２５が収納される第２領域ＳＰ２とからなる。第１領域ＳＰ１は、フレーム３１ａ、３１ｂ、３１ｃで囲まれた領域（図５において右側）である。第２領域ＳＰ２は、フレーム３１ｄ、３１ｅで囲まれた領域（図５において左側）である。
【００２３】
また、フレーム３１ｃには、内部空間の第２領域ＳＰ２に向けてクッション材３１ｈが設けられている。このクッション材３１ｈは、ドア装置２０の開放時に、扉パネル２２ｂの屋内側面に当接することにより、回動規制時の緩衝材として機能する。
【００２４】
扉パネル２２ｂには、開口部１１の縁部に近い端辺（召し合せ部の反対側である吊元側）から戸先側に向けて、所定長さだけ離れた位置に、回動機構部２５が固定されている。この回動機構部２５は、アングル材２５ａ、丁番２５ｂ、アングル材２５ｃを備える。Ｌ字状のアングル材２５ａは、扉パネル２２ｂの屋内側面に溶接固定されている。このアングル材２５ａは、丁番２５ｂに、ボルトにより固定されている。この丁番２５ｂには、Ｌ字状の羽根２５ｂ１と平板状の羽根２５ｂ２とを回動させる丁番を用いる。丁番２５ｂを閉じた状態では、羽根２５ｂ１と羽根２５ｂ２とが略平行となる。アングル材２５ａは、丁番２５ｂの羽根２５ｂ１に固定される。そして、丁番２５ｂの羽根２５ｂ２は、アングル材２５ｃにボルトにより固定され、このアングル材２５ｃは、建物１０のフレーム３１ｄにボルトにより固定される。
【００２５】
図６は、丁番２５ｂを回動操作させた場合の扉２１ｂの動きを示す。扉２１ｂにおいて、回動機構部２５より壁面１０ｄ側の端部は、第１領域ＳＰ１内を、クッション材３１ｈに当接するまで回動する。
【００２６】
図７は、図３の矢視Ｂにおける断面図である。図７（ａ）に示すように、ドア装置２０の閉鎖時には、扉２１ａ、２１ｂの化粧板２２ａ間に隙間が生じる。
図７（ｂ）は、扉２１ａ、２１ｂの召し合わせ部付近の拡大図である。本実施形態では、扉２１ａの扉パネル２２ｂ前面の段差部２２１と、扉２１ｂの扉パネル２２ｂ前面の突状部２２２とが嵌合する。更に、扉２１ａの扉パネル２２ｂ後面の突状部２２３と、扉２１ｂの扉パネル２２ｂ後面の段差部２２４とが嵌合する。この突状部２２３には、先端を折り曲げたリップ溝が設けられており、リップ溝内にはラバーガスケット２２５が設けられている。このラバーガスケット２２５は、ドア装置２０の閉鎖時に、扉２１ａと扉２１ｂと密着させ、召し合わせ部のシール材として機能し、例えばＣＲスポンジを用いることができる。
【００２７】
図８は、図３の矢視Ｂにおける、扉２１ａ、２１ｂを開放時の説明図である。この場合、扉２１ａ、２１ｂの回動機構部２５側の吊元端部は、建物１０内の第１領域ＳＰ１において回動する。そして、扉パネル２２ｂが、フレーム３１ｃのクッション材３１ｈに当接することにより、回動を停止する。これにより、建物１０の開口部１１が、屋外に開放される。
【００２８】
本実施形態によれば、以下のような効果を得ることができる。
（１）本実施形態では、扉２１ｂの屋内側には、回動機構部２５が取付けられている。これにより、屋外側から、ドア装置２０の回動機構部２５が見えず、意匠性の向上を図ることもできる。
【００２９】
（２）本実施形態では、建物１０の屋外から見た場合、ドア装置２０は、壁面１０ａ〜１０ｄと同じ表面形態や配色を有しており、壁面と識別できない構成となっている。これにより、扉に対するいたずら等を抑制し、防犯性の向上を図ることができる。
【００３０】
（３）本実施形態では、フレーム３１ｅの屋外方向の先端部には、ラバーガスケット１９ａが設けられている。このラバーガスケット１９ａにより、ドア装置２０の閉鎖時に、扉パネル２２ｂの屋内側面に当接し、回動を規制する。この場合、ラバーガスケット１９ａは、ドア装置２０の閉鎖時に、壁パネル３１ｆと扉パネル２２ｂとの隙間を埋めて、雨水等の侵入を抑制する。これにより、ドア装置２０の縦縁部において、屋外に繋がる内部空間（第１領域ＳＰ１と第２領域ＳＰ２）と屋内とを隔離し、気密性、水密性を確保することができる。
【００３１】
更に、建物１０の天井フレーム１６の扉側面には、ラバーガスケット１７ａが設けられている。建物１０の床材１８ａ、１８ｂの扉側面にも、ラバーガスケット１７ｂが設けられている。これにより、ドア装置２０の上下部において、屋外に繋がる第２領域ＳＰ２内部空間と屋内とを隔離し、気密性、水密性を確保することができる。
【００３２】
更に、扉２１ａと扉２１ｂとの召し合わせ部には、ラバーガスケット２２５が設けられている。これにより、ドア装置２０の閉鎖時に、召し合わせの気密性、水密性を確保することができる。
【００３３】
（４）本実施形態では、扉パネル２２ｂの屋内側面には、吊元側から戸先側に向けて、所定長さだけ離れた位置に、回動機構部２５が配置される。これにより、ドア装置２０の開放時に、吊元側の端部をクッション材３１ｈに当接させて回動を規制することができる。
【００３４】
また、上記実施形態は、以下のように変更してもよい。
・上記実施形態においては、扉パネル２２ｂの屋内側面には、吊元側から戸先側に向けて、所定長さだけ離れた位置に、回動機構部２５が配置される。回動機構部２５の配置位置はこれに限定されるものではなく、扉パネル２２ｂの屋内側面であれば、扉パネル２２ｂの端部であってもよい。
【００３５】
・上記実施形態においては、ドア装置２０の扉２１ａ、２１ｂが左右対称に設けられている。扉２１ａ、２１ｂは左右である必要はなく、大きさが異なる親子扉や、片開き扉にも適用することができる。
【００３６】
・上記実施形態においては、回動機構部２５は、アングル材２５ａ、丁番２５ｂ、アングル材２５ｃを備える。回動機構部２５の構成は、これに限定さるものではなく、建物に扉２１ａ、２１ｂを回動可能に固定する構成を用いることができる。
【００３７】
次に、上記実施形態及び別例から把握できる技術的思想について、それらの効果とともに以下に追記する。
（ａ）建物の開口部の外周と、扉の外表面とを同じ形態にしたことを特徴とするドア装置。
【００３８】
これにより、建物の外部において扉が認識されず、防犯性を向上させることができる。
【符号の説明】
【００３９】
１０…建物、１０ａ，１０ｂ，１０ｃ，１０ｄ…壁面、１６…天井フレーム、１７ａ，１７ｂ，１９ａ，２２５…ラバーガスケット、２０…ドア装置、２１ａ，２１ｂ…扉、２３ａ…錠ケース、２３ｂ…レバーハンドル、２３ｃ，２３ｄ…扉内配管、２５…回動機構部、３１ａ，３１ｂ，３１ｃ，３１ｄ，３１ｅ…フレーム、ＳＰ１…第１領域、ＳＰ２…第２領域、２５ａ，２５ｃ…アングル材、２５ｂ…丁番、２２１，２２４…段差部、２２２，２２３…突状部。
【図１】
2015068002.tif 000003
【図２】
2015068002.tif 000004
【図３】
2015068002.tif 000005
【図４】
2015068002.tif 000006
【図５】
2015068002.tif 000007
【図６】
2015068002.tif 000008
【図７】
2015068002.tif 000009
【図８】
2015068002.tif 000010